(57)【要約】【課題】１個の記憶用スイッチの簡単な操作で、関連する第１情報と第２情報を記憶できる低価格の携帯型電子機器を提供すること。【解決手段】ユーザが記憶用押しボタンスイッチＳＷ１５をプッシュすると（１０１）、ＣＰＵ１１は計時部１２が計時している現在時刻を時刻情報としてＲＡＭ１４に記憶させ（１０２）、シーケンシャルな検索画面表示をスタートさせる（１０３）。ユーザが記憶用押しボタンスイッチＳＷ１５のプッシュ状態をリリースすると（１０４）、ＣＰＵ１１はその時に液晶表示器１６に表示された放送局情報候補を放送局情報としてＲＡＭ１４に記憶させ（１０５）、前記検索画面表示をストップさせる（１０６）。続いて、ＣＰＵ１１は記憶された時刻情報と放送局情報をＲＡＭ１４から読み出して曲・ＣＭの検索用データを生成し（１０７）、ＲＡＭ１４のデータ記憶部に記憶する（１０８）。【選択図】    図３
2004185469.tif 000002
【特許請求の範囲】
【請求項１】
記憶すべき第１情報と前記第１情報と異なる第２情報を入力する記憶用スイッチと、
前記第１情報と前記第２情報を表示する表示部と、
前記記憶用スイッチを最初に操作したときに前記第１情報を記憶し、前記表示部の検索画面に表示された第２情報候補の中から前記第２情報を選択するために、前記記憶用スイッチを操作したときに前記第２情報を記憶する制御部と、
前記第１情報と前記第２情報を関連付けて生成されたデータとして記憶する記憶部と、
を有する携帯型電子機器。
【請求項２】
画像を撮像する撮像部と、
前記撮像部で記憶された第１情報である前記画像と前記画像データを送付する第２情報である送付データを入力する記憶用スイッチと、
前記画像データと前記送付データを表示する表示部と、
前記記憶用スイッチを最初に操作したときに前記画像データを記憶し、前記表示部の検索画面に表示された送付データ候補の中から前記送付データを選択するために、前記記憶用スイッチを操作したときに前記送付データを記憶する制御部と、
前記画像データと前記送付データを関連付けて生成されたデータとして記憶する記憶部と、
を有する携帯型電子機器。
【請求項３】
前記検索画面の表示は、前記第２情報候補のシーケンシャルな表示であって、ユーザが前記記憶用スイッチを最初に操作したことに基づいてスタートし、前記第２情報を選択するためにユーザが前記記憶用スイッチを操作したことに基づいてストップする請求項１又は２記載の携帯型電子機器。
【請求項４】
時刻を計測する計時部を有し、
前記第１情報は時刻情報である請求項１又は３記載の携帯型電子機器。
【請求項５】
前記第１情報は前記記憶用スイッチが操作されたときに前記計時部が計時している現在時刻である請求項４記載の携帯型電子機器。
【請求項６】
前記記憶用スイッチは、前記記憶用スイッチと接触したときあるいは前記記憶用スイッチを押圧したときに前記第１情報を入力し、前記記憶スイッチと接触あるいは押圧を解除したときに前記第２情報を入力する請求項１乃至５のいずれかに記載の携帯型電子機器。
【請求項７】
前記記憶用スイッチは、前記記憶用スイッチと接触したときあるいは前記記憶用スイッチを押圧したときに前記第１情報を入力し、前記記憶スイッチをさらに接触あるいは押圧をしたときに前記第２情報を入力する請求項１乃至５のいずれかに記載の携帯型電子機器。
【発明の詳細な説明】
【０００１】
【発明の属する技術分野】
本発明は、記憶部と制御部と計時部と表示部とを具備して構成された携帯型電子機器であって、ユーザの手動操作により２つの関連する情報を記憶部に記憶させ、且つ記憶された前記２つの情報から１つのデータを生成しこれを前記記憶部に記憶する携帯型電子機器に関する。
【０００２】
【従来の技術】
インターネットを利用した曲・ＣＭ検索システムが、非特許文献１に開示されている。このシステムのユーザ端末は制御部と計時部と記憶部と記憶用押しボタンスイッチとを具備して構成されたもので、時刻情報と放送局情報とからなる検索用データを記憶する。時刻情報は、ラジオやテレビを楽しんでいるユーザが、気になる曲やＣＭが流れた時にユーザ端末の記憶用押しボタンスイッチを押した時刻である。また、放送局情報は、その曲やＣＭを流していた放送局の種類である。放送局の種類は、ラジオは記憶用押しボタンスイッチの１回押し、テレビは２回押し、登録した放送局以外は長押しで入力する。
【０００３】
即ち図６に示す如く、ユーザが記憶用押しボタンスイッチを１回押しすると（３０１）、制御部はその時に計時部が計時している現在時刻を時刻情報として記憶部に記憶させる（３０２）。続いて、制御部はユーザが記憶用押しボタンスイッチをどのように操作したかを調べ、１回押ししたと判断すると（３０３）、ラジオ局情報を放送局情報として記憶部に記憶させる（３０６）。また、ユーザが記憶用押しボタンスイッチを２回押ししたと判断したときは（３０４）、制御部はテレビ局情報を放送局情報として記憶部に記憶させる（３０７）。更に、ユーザが記憶用押しボタンスイッチを長押ししたと判断したときは（３０５）、制御部は未登録局情報を放送局情報として記憶部に記憶させる（３０８）。放送局情報の記憶が終了すると、制御部は記憶部に記憶されている時刻情報と放送局情報を読み出して検索用データを生成し（３０９）、これを記憶部に記憶する（３１０）。このように、ユーザは、記憶用押しボタンスイッチを１回押しして時刻を特定し、続いて記憶用押しボタンスイッチを１回押し、２回押し、長押しのいずれかの操作をして放送局の種類を特定する。放送局が流している曲やＣＭを曲名やＣＭの提供者名で特定する代わりに、時刻情報と放送局情報を関連付けて生成したものが検索用データである。
【０００４】
ユーザは、ＵＳＢケーブルでユーザ端末をパソコンに接続し、検索用データを入力する。そして、パソコンを操作して曲・ＣＭ検索エンジンである専用のサーバに検索用データを送信する。前記専用のサーバは、曲・ＣＭのプレイリストと放送局名とが関連付けられてデータベースに蓄積された蓄積手段を有する。前記専用のサーバは、送信された検索用データに対応した曲やＣＭのリストを作成し、ユーザのパソコンに送信し画面に表示する。ユーザは表示された曲やＣＭのリストから、目的の曲やＣＭを選択する。このようにして、ユーザは、放送局名や的確なキーワードが分からなくても、放送されたコンテンツを的確に検索できる。
【０００５】
特許文献１と特許文献２にも、上述のインターネットを利用した曲・ＣＭ検索システム及びユーザ端末が開示されている。特許文献１と特許文献２に開示のユーザ端末にはマイクと内蔵のラジオ受信部が備えられている。ユーザは記憶用押しボタンスイッチを１回押しして時刻を特定する。特定された時刻はユーザ端末に記憶される。前記時刻の記憶に続いて、マイクによる周囲の音声の収集が行われる。同時に内蔵のラジオ受信部によるラジオ放送の電波の受信と、受信可能な周波数のスキャンが行われる。そして、マイクにより収集した音声と内蔵のラジオ受信機が受信した音声を比較して、放送局の特定が自動的に行われる。
【０００６】
インターネットを利用した曲・ＣＭ検索システムにおいて、特許文献１と特許文献２に開示のユーザ端末は、放送局情報を自動的に特定し記憶できるので、非特許文献１に開示のユーザ端末よりは操作性がよい。しかしながら、構成が複雑で価格も高くなるという問題がある。非特許文献１に開示のユーザ端末は、１個の記憶用押しボタンスイッチで時刻情報の特定と記憶、及び放送局情報の特定と記憶ができるものであるから、構成は簡単であり、価格も安くできる。
【０００７】
しかしながら、上記の２種類のユーザ端末はいずれも、特定できる放送局の数が限定されるという問題がある。マイクと内蔵のラジオ受信部が備えられているユーザ端末では、理論上は２０チャンネル以上もの放送局を特定できるように構成することができるが、価格が高くなり実用的ではない。また、記憶用押しボタンスイッチの押し方の違いで放送局を特定するユーザ端末でも、ボタンを増やせば更に多数の放送局情報を特定することもできる。しかしながら、このような構成は複雑であり、ボタン操作は面倒になるという問題がある。上述の通り、ラジオやテレビから流れている曲やＣＭを、時刻情報と放送局情報の２つの関連した情報で特定するユーザ端末であるが、第１情報である時刻情報は記憶用押しボタンスイッチの１回押しで簡単に特定し記憶できるが、第１情報と関連する第２情報である放送局情報を特定し記憶する構成は高価格となり、従って放送局の数をあまり増やせないという問題がある。
【０００８】
【特許文献１】特開２０００−３３９３４５号公報
【特許文献２】特開２００１−１４４７０４号公報
【非特許文献１】ｅＭａｒｋｅｒ（登録商標）の取扱説明書
【０００９】
【発明が解決しようとする課題】
本発明が解決しようとする課題は、記憶部と制御部と計時部と表示部とを具備して構成された携帯型電子機器において、１個の記憶用スイッチの簡単な操作で、関連する第１情報と第２情報を前記記憶部に記憶できる低価格の携帯型電子機器を提供することである。
【００１０】
【課題を解決するための手段】
本発明の携帯型電子機器は、記憶すべき第１情報と前記第１情報と異なる第２情報を入力する記憶用スイッチと、前記第１情報と前記第２情報を表示する表示部と、前記記憶用スイッチを最初に操作したときに前記第１情報を記憶し、前記表示部の検索画面に表示された第２情報候補の中から前記第２情報を選択するために、前記記憶用スイッチを操作したときに前記第２情報を記憶する制御部と、前記第１情報と前記第２情報を関連付けて生成されたデータとして記憶する記憶部とを有する。
【００１１】
本発明の携帯型電子機器は、画像を撮像する撮像部と、前記撮像部で記憶された第１情報である前記画像と前記画像データを送付する第２情報である送付データを入力する記憶用スイッチと、前記画像データと前記送付データを表示する表示部と、前記記憶用スイッチを最初に操作したときに前記画像データを記憶し、前記表示部の検索画面に表示された送付データ候補の中から前記送付データを選択するために、前記記憶用スイッチを操作したときに前記送付データを記憶する制御部と、前記画像データと前記送付データを関連付けて生成されたデータとして記憶する記憶部とを有する。
【００１２】
本発明の携帯型電子機器は、前記検索画面の表示は、前記第２情報候補のシーケンシャルな表示であって、ユーザが前記記憶用スイッチを最初に操作したことに基づいてスタートし、前記第２情報を選択するためにユーザが前記記憶用スイッチを操作したことに基づいてストップする。
【００１３】
本発明の携帯型電子機器は、時刻を計測する計時部を有し、前記第１情報は時刻情報である。また、本発明の携帯型電子機器は、前記第１情報は前記記憶用スイッチが操作されたときに前記計時部が計時している現在時刻である。
【００１４】
本発明の携帯型電子機器は、前記記憶用スイッチが前記記憶用スイッチと接触したときあるいは前記記憶用スイッチを押圧したときに前記第１情報を入力し、前記記憶スイッチと接触あるいは押圧を解除したときに前記第２情報を入力する。
また、本発明の携帯型電子機器は、前記記憶用スイッチが、前記記憶用スイッチと接触したときあるいは前記記憶用スイッチを押圧したときに前記第１情報を入力し、前記記憶スイッチをさらに接触あるいは押圧をしたときに前記第２情報を入力する請求項１乃至５のいずれかに記載の携帯型電子機器。
なお、記憶用スイッチは操作性の点から、押しボタンスイッチ、接触スイッチ、ジョイスティクのように、指で押圧あるいは接触することで第１の情報を入力することができ、スイッチを離して第２情報を入力することができるスイッチが好ましい。
【００１５】
【発明の実施の形態】
本発明の携帯型電子機器の一実施形態である腕携帯型電子時計１０は、図１のブロック図と図２の平面図に示す通り、制御部であるＣＰＵ１１、現在時刻を計時する計時部１２、記憶部を構成するＲＯＭ１３とＲＡＭ１４、表示部を構成するドライバ１５と液晶表示器１６、及び各種の操作用スイッチＳＷ１１〜ＳＷ１５とを具備して構成されている。計時部１２は、水晶振動子と分周回路を含んで構成されている。ＲＯＭ１３にはＣＰＵ１１の制御プログラム等が記憶されている。ＲＡＭ１４には、第１情報、第２情報、これら２つの情報を含んで生成されたデータ等の各種データが記憶される。
【００１６】
ＳＷ１１はモード切替用押しボタンスイッチ、ＳＷ１２は時刻修正用押しボタンスイッチ、ＳＷ１３とＳＷ１４はアップダウン用押しボタンスイッチである。また、ＳＷ１５は記憶用押しボタンスイッチであって、ユーザが操作して第１情報と第２情報をＲＡＭ１４に記憶するための押しボタンスイッチである。液晶表示器１６は、図２に示す如く、現在時刻を表示する画面領域と、第２情報の検索画面を表示する検索画面領域１６ａを有する。
【００１７】
図１及び図２に示した記憶用スイッチ付き腕携帯型電子時計は、図３に示す如く、インターネットを利用した曲・ＣＭ検索システムのユーザ端末として機能するものである。インターネットを利用した曲・ＣＭ検索システムのユーザ端末として機能する記憶用スイッチ付き腕携帯型電子時計において、第１情報は時刻情報であり、第２情報は放送局情報である。
【００１８】
放送局情報は、液晶表示器１６の検索画面領域１６ａにシーケンシャルに表示される複数の放送局候補の中からユーザが記憶用スイッチを操作して選択するものである。放送局候補は、例えば、ＮＨＫのＡＭラジオ放送第１チャンネルをＣＨ１、ＮＨＫのＡＭラジオ第２チャンネルをＣＨ２、ＮＨＫのＦＭラジオ放送をＣＨ３、Ｘ民間放送局のＡＭラジオ放送をＣＨ４、Ｘ民間放送局のＦＭラジオ放送をＣＨ５、Ｙ民間放送局のＡＭラジオ放送をＣＨ６、Ｙ民間放送局のＦＭラジオ放送をＣＨ７、Ｚ民間放送局のＡＭ放送をＣＨ８、Ｚ民間放送局のＦＭ放送をＣＨ９、未登録ラジオ放送をＣＨ１０、ＮＨＫのテレビ放送第１チャンネルをＣＨ１１、ＮＨＫのテレビ放送第３チャンネルをＣＨ１２、ＮＨＫのＢＳテレビ放送をＣＨ１３、Ｐ民間放送局のテレビ放送をＣＨ１４、Ｑ民間放送局のテレビ放送をＣＨ１５、Ｒ民間放送局のテレビ放送をＣＨ１６、Ｘ民間放送局のテレビ放送をＣＨ１７、Ｙ民間放送局のテレビ放送をＣＨ１８、Ｚ民間放送局のテレビ放送をＣＨ１９、未登録テレビ放送をＣＨ２０の如く、２０局の放送局をＣＨ１〜ＣＨ２０の符号で表示する。検索画面に表示される放送局を表すＣＨ１〜ＣＨ２０の符号は、予めＲＯＭ１３に記憶されている。
【００１９】
以下、図３を参照して説明する。インターネットを利用した曲・ＣＭ検索システムのユーザ端末として機能する記憶用スイッチ付き腕携帯型電子時計のユーザが、気になる曲やＣＭがラジオやテレビから流れた時に、記憶用押しボタンスイッチＳＷ１５をプッシュすると（１０１）、ＣＰＵ１１は計時部１２が計時している現在時刻を時刻情報としてＲＡＭ１４に記憶させ（１０２）、ドライバ１５を駆動して放送局情報の検索画面表示をスタートさせる（１０３）。
【００２０】
放送局情報の検索画面表示は、ＣＨ１、ＣＨ２、ＣＨ３、ＣＨ４、ＣＨ５、ＣＨ６、ＣＨ７、ＣＨ８、ＣＨ９、ＣＨ１０、ＣＨ１１、ＣＨ１２、ＣＨ１３、ＣＨ１４、ＣＨ１５、ＣＨ１６、ＣＨ１７、ＣＨ１８、ＣＨ１９、ＣＨ２０の符号が、この順にシーケンシャルに行われるスクロール画面表示である。或いは、これらの符号の表示が、１画面毎に順に切り替るような検索画面表示でもよい。
【００２１】
ユーザは、検索画面１６ａにシーケンシャルに表示された複数の放送局候補の中から、前記時刻情報に関連した放送局情報、例えばＣＨ５を選択し、記憶用押しボタンスイッチＳＷ１５のプッシュ状態をリリースする。ＣＰＵ１１は、記憶用押しボタンスイッチＳＷ１５のプッシュ状態がリリースされたことを検出すると（１０４）、前記検索画面表示をストップさせる（１０５）、その時に液晶表示器１６に表示された放送局情報候補を放送局情報としてＲＡＭ１４に記憶させ（１０６）。続いて、ＣＰＵ１１は、記憶された時刻情報と放送局情報をＲＡＭ１４から読み出して所定のデータを生成し（１０７）、ＲＡＭ１４のデータ記憶部に記憶させる（１０８）。ステップ１０８の後はステップ１０１に戻り、ＣＰＵ１１は記憶用押しボタンスイッチＳＷ１５が次にプッシュされるのを待つ。
【００２２】
ステップ１０７で、記憶された時刻情報と放送局情報をＲＡＭ１４から読み出してＣＰＵ１１が生成する所定のデータは、例えば図２の時刻で記憶用押しボタンスイッチＳＷ１５のプッシュ状態がリリースされたとすれば、データ番号、１１月２５日１０時３４分５６秒という時刻情報、ＣＨ５という放送局情報を少なくとも含んだ検索用データである。この検索用データは、１１月２５日１０時３４分５６秒にＸ民間放送局のＦＭラジオ放送から気になる曲が流れてきたという情報をユーザに与えるものである。
【００２３】
記憶部に記憶された検索用データの読み出しは、ユーザがモード切替用ボタンスイッチＳＷ１１をプッシュすることによって行われる。検索用データのリコールボタンスイッチとしても機能するモード切替用ボタンスイッチＳＷ１１がプッシュされると、ＣＰＵ１１はプログラムに従ってＲＡＭ１４から検索用データを読み出し、ドライバ１５を駆動して液晶表示器１６に表示させる。ユーザは、アップダウン用押しボタンスイッチＳＷ１３とＳＷ１４を操作して、目的のデータ番号の検索用データを特定する。この特定された検索用データの表示を見て、ユーザは対応する曲やＣＭを思い出すことができる。また、腕携帯型電子時計１０をＵＳＢケーブルでパソコンに接続して検索用データを入力し、更にインターネットを利用した曲・ＣＭ検索システムの検索エンジンにアクセスすれば、当該検索用データに対応して曲やＣＭを検索して特定することもできる。
【００２４】
また、本発明に係る記憶用スイッチ付き腕携帯型電子時計は、図４に示す如く、電子メモ帖として機能するものである。電子メモ帖として機能する記憶用スイッチ付き腕携帯型電子時計において、第１情報は時刻情報であり、第２情報は日常生活行動情報である。
【００２５】
日常生活行動情報は、液晶表示器１６の検索画面領域１６ａにシーケンシャルに表示される複数の日常生活行動候補の中からユーザが記憶用スイッチを操作して選択するものである。日常生活行動候補は、例えば、ガスコンロの点検確認をガス確認、テレビやアイロン等の電源スイッチの点検確認を電気確認、窓や玄関の施錠確認を施錠確認、薬を飲んだことの確認を服薬確認、有料駐車場の入場を駐車場入場として表示され、予めＲＯＭ１３に記憶されているものである。
【００２６】
以下、図４を参照して説明する。電子メモ帖として機能する記憶用スイッチ付き腕携帯型電子時計のユーザが、外出する際に玄関扉の施錠をしたことを確認した時に記憶用押しボタンスイッチＳＷ１５を操作すると（２０１）、ＣＰＵ１１は計時部１２が計時している現在時刻を時刻情報としてＲＡＭ１４に記憶させ（２０２）、ドライバ１５を駆動して日常生活行動情報の検索画面表示をスタートさせる（２０３）。
【００２７】
日常生活行動情報の検索画面表示は、ガス確認、電気確認、施錠確認、服薬確認、駐車場入場の文字が、この順にシーケンシャルに行われるスクロール画面表示である。或いは、これらの符号の表示が、１画面毎に順に切り替るような検索画面表示でもよい。
【００２８】
ユーザは、検索画面１６ａにシーケンシャルに表示された日常生活行動候補の中から、前記時刻情報に関連した日常生活行動を選択し、記憶用押しボタンスイッチＳＷ１５を再び操作する。ＣＰＵ１１は、記憶用押しボタンスイッチＳＷ１５が再び操作されたことを検出すると（２０４）、日常生活行動情報の検索画面表示をストップさせ（２０５）、その時に液晶表示器１６に表示された日常生活行動、この場合は施錠確認をＲＡＭ１４に記憶させる（２０６）。続いて、ＣＰＵ１１は記憶された時刻情報と生活行動情報をＲＡＭ１４から読み出して所定のデータを生成し（２０７）、ＲＡＭ１４のデータ記憶部に記憶させる（２０８）。ステップ２０８の後はステップ２０１に戻り、ＣＰＵ１１は記憶用押しボタンスイッチＳＷ１５が次に操作されるのを待つ。なお、ステップ２０１における記憶用押しボタンスイッチＳＷ１５の操作はプッシュ操作であり、ステップ２０４における記憶用押しボタンスイッチＳＷ１５の操作はプッシュ操作又はそのリリース操作である。
【００２９】
ステップ２０７で、ＣＰＵ１１が記憶部に記憶された時刻情報と日常生活行動情報をＲＡＭ１４から読み出して生成する所定のデータは、例えば、データ番号１、１１月２５日１０時３４分５６秒という時刻情報、及び施錠確認という日常生活行動情報を含んだデータである。このデータは、１１月２５日１０時３４分５６秒に玄関扉の施錠確認したという情報をユーザに与えるものである。従って、玄関扉の施錠をしたか否か思い出せなくて不安になったときは、リコールボタンを押すと１１月２５日１０時３４分５６秒という時刻情報と施錠確認という日常生活行動情報を含んだデータが液晶表示器１６に表示されるから、ユーザは外出先で簡単に施錠確認をすることができる。
【００３０】
同様に、電子メモ帖として機能する記憶用スイッチ付き腕携帯型電子時計のユーザが、薬を飲んだ時に記憶用押しボタンスイッチＳＷ１５を操作すると、その時に記憶された時刻情報と、前記時刻情報に関連してユーザが選択し記憶された日常生活行動情報である服薬確認とから服薬確認時刻というデータが生成され記憶される。従って、薬を飲んだか否か思い出せなくなったときには、リコールボタンＳＷ１１を押して服薬確認をすることができる。また、電子メモ帖として機能する記憶用スイッチ付き腕携帯型電子時計のユーザが、有料駐車場に入場した時に記憶用押しボタンスイッチＳＷ１５を操作すると、その時に記憶された時刻情報と、前記時刻情報に関連してユーザが選択し記憶された日常生活行動情報である駐車場入場とから有料駐車場入場時刻というデータが生成され記憶される。従って、駐車開始からの経過時間が気になったときは、リコールボタンＳＷ１１を押して駐車開始からの経過時間を知ることができる。
【００３１】
以上詳細に説明した通り、本発明に係る携帯型電子機器は、時刻情報の如き無制限の中からユーザが特定した第１情報と、前記第１情報に関連する情報であって予め記憶部に記憶されている複数の第２情報候補の中から検索画面を見ながらユーザが選択して特定した第２情報を、その記憶部に記憶させるものである。そして、これら第１情報と第２情報の特定と記憶部への記憶は、唯１個の記憶用スイッチをユーザが簡単に操作して行われるものである。なお、予め記憶部に記憶されている第２情報候補の数は、概ね４〜２０程度が実用的である。
【００３２】
即ち、ユーザは記憶用押しボタンスイッチＳＷ１５をプッシュして第１情報を記憶させ、同時に第２情報候補の検索画面表示をスタートさせ、そのプッシュ状態を保持しながら第２情報を検索し、第２情報の検索終了時に記憶用押しボタンスイッチＳＷ１５のプッシュ状態を開放して第２情報を記憶させるという簡単な操作である。又は、ユーザは記憶用押しボタンスイッチＳＷ１５を操作して第１情報を記憶させ、同時に第２情報候補の検索画面表示をスタートさせ、第２情報の検索終了時に記憶用押しボタンスイッチＳＷ１５を再び操作して第２情報を記憶させるという簡単な操作である。要するに、記憶用押しボタンスイッチＳＷ１５のワンプッシュ操作又はツープッシュ操作であるから、簡単である。
【００３３】
インターネットを利用した曲・ＣＭ検索システムのユーザ端末として機能する記憶用スイッチ付き腕携帯型電子時計は、図３のフローチャートに示した如く、記憶用押しボタンスイッチＳＷ１５のプッシュによって第１情報の時刻情報を記憶部に記憶し、記憶用押しボタンスイッチＳＷ１５のプッシュ状態のリリースによって第２情報の放送局情報を記憶部に記憶するものである。この場合、第２情報を選択するための検索画面表示は記憶用押しボタンスイッチＳＷ１５のプッシュに基づいてスタートし、記憶用押しボタンスイッチＳＷ１５のプッシュ状態のリリースに基づいてストップする。なお、インターネットを利用した曲・ＣＭ検索システムのユーザ端末として機能する記憶用スイッチ付き腕携帯型電子時計も、図４のフローチャートに示した如く、記憶用押しボタンスイッチＳＷ１５のツープッシュ操作で第１情報と第２情報を記憶部に記憶するように構成できる。
【００３４】
また、電子メモ帖として機能する記憶用スイッチ付き腕携帯型電子時計は、図４のフローチャートに示した如く、記憶用押しボタンスイッチＳＷ１５の１回目の操作によって第１情報の時刻情報を記憶部に記憶し、記憶用押しボタンスイッチＳＷ１５の２回目の操作によって第２情報の日常生活行動情報を記憶部に記憶するものである。この場合、第２情報を選択するための検索画面表示は記憶用押しボタンスイッチＳＷ１５の１回目の操作に基づいてスタートし、記憶用押しボタンスイッチＳＷ１５の２回目の操作に基づいてストップする。なお、電子メモ帖として機能する記憶用スイッチ付き腕携帯型電子時計も、図３のフローチャートに示した如く、記憶用スイッチ１回目のワンプッシュ操作で第１情報と第２情報を記憶部に記憶するように構成できる。
【００３５】
更に、本発明の他の実施形態は、デジタルカメラ付き携帯電話機に記憶用スイッチを付加して構成された携帯型電子機器である。即ち、この携帯型電子機器は、図５にブロック図で示す如く、制御部であるＣＰＵ２１、現在時刻を計時する計時部２２、記憶部を構成するＲＯＭ２３とＲＡＭ２４、表示部を構成するドライバ２５と液晶表示器２６、送受信部２７、デジタルカメラ２８、各種の操作用押しボタンスイッチＳＷ２１〜ＳＷ２５とを具備して構成されている。ＳＷ２５は、デジタルカメラ２８のシャッタボタンであり、記憶用押しボタンスイッチと兼用されているものである。このように構成されたデジタルカメラ付き携帯電話機に記憶用スイッチを付加して構成された携帯型電子機器において、ＲＡＭ２４には、ユーザが記憶用押しボタンスイッチＳＷ２５を最初に操作したときにデジタルカメラ２８の画像情報が記憶され、また、前記表示部の検索画面に表示された送付先候補の中から送付先情報を選択するためにユーザが前記記憶用押しボタンスイッチＳＷ２５を操作したときに前記送付先情報が記憶される。更に、ＲＡＭ２４には、前記画像情報と送付先情報を関連付けて生成されたデータが記憶される。
【００３６】
【発明の効果】
本発明により、１個の記憶用スイッチの簡単な操作で関連する第１情報と第２情報をメモリに記憶できる低価格で操作性が高い携帯型電子機器を提供することができた。
【００３７】
また、本発明により、インターネットを利用した曲・ＣＭ検索システムのユーザ端末、或いは電子メモ帖として機能する操作性が高く低価格の記憶用スイッチ付き腕携帯型電子時計を提供することができた。前記電子メモ帖は、第１情報を時刻情報、第２情報を防災・防犯の点検確認情報又は服薬確認情報とすることによって、日常生活上の点検確認装置、即ち日常生活行動のリマインダーとして利用される。
【図面の簡単な説明】
【図１】本発明の一実施形態である記憶用スイッチ付き腕携帯型電子時計の構成を示すブロック図である。
【図２】本発明の一実施形態である記憶用スイッチ付き腕携帯型電子時計の要部の平面図である。
【図３】インターネットを利用した曲・ＣＭ検索システムのユーザ端末として機能する本発明の一実施形態である記憶用スイッチ付き腕携帯型電子時計の動作の流れを示すフローチャートである。
【図４】電子メモ帖として機能する本発明の一実施形態である記憶用スイッチ付き腕携帯型電子時計の動作の流れを示すフローチャートである。
【図５】本発明の他の実施形態であるデジタルカメラ付き携帯電話機の構成を示すブロック図である。
【図６】従来のインターネットを利用した曲・ＣＭ検索システムのユーザ端末の動作の流れを示すフローチャートである。
【符号の説明】
１０  腕携帯型電子時計
１１  ＣＰＵ
１２  計時部
１３  ＲＯＭ
１４  ＲＡＭ
１５  ドライバ
１６  液晶表示器
２１  ＣＰＵ
２２  計時部
２３  ＲＯＭ
２４  ＲＡＭ
２５  ドライバ
２６  液晶表示器
２７  送受信部
２８  デジタルカメラ
ＳＷ１１〜ＳＷ１４  各種操作用押しボタンスイッチ
ＳＷ１５  記憶用押しボタンスイッチ
ＳＷ２１〜ＳＷ２４  各種操作用押しボタンスイッチ
ＳＷ２５  シャッタボタン兼記憶用押しボタンスイッチ
【図１】
2004185469.tif 000003
【図２】
2004185469.tif 000004
【図３】
2004185469.tif 000005
【図４】
2004185469.tif 000006
【図５】
2004185469.tif 000007
【図６】
2004185469.tif 000008